(57)【要約】【課題】頭部への固定操作時に感触的な不快感を与えることなく且つ固定後にはかつらが容易には頭部から脱落しないように安定した固定状態を維持できるかつら用ストッパを提供する。【解決手段】かつら用ストッパ１３はピン１４と一体にほぼ櫛状に形成された本体部１５と本体部１５の両端部にハトメ１６により固定・連結され、熱収縮チューブ１８によって被覆されたピン当接部１７を備えている。全体が頭皮方向に凸状となったときピン１４とピン当接部１７とが離れて自毛内にピン１４を挿通することが出来るようになる。そして全体を頭皮方向に凹状に反転させるとピン１４とピン当接部１７とが圧接する。ピン１４の先端部１４−１はかつら装着時に頭皮から離れる方向に曲がって形成されている。またピン１４の本体部１５との付け根から先端部までの間には他のピン１４との並設方向の側部に少なくとも１つ以上の凸状部１４−２が形成されている。【選択図】図２
2006037278.tif 000002
【特許請求の範囲】
【請求項１】
バネ板状部材からなり、ピンと一体にほぼ櫛状に形成された本体部と、該本体部を凸又は凹状に反り返らせるべく前記本体部の両端部に連結され前記ピンと離接可能に配設されたピン当接部と、を有するかつら用ストッパであって、
前記ピンは、その先端が、かつら装着時において頭皮から離れる方向に曲がって形成されている、ことを特徴とするかつら用ストッパ。
【請求項２】
前記ピンは、前記本体部との付け根から先端部までの間に、他のピンとの並設方向の側部に少なくとも１つ以上の凸状部が形成されている、ことを特徴とする請求項１記載のかつら用ストッパ。
【発明の詳細な説明】
【技術分野】
【０００１】
本発明は、かつらを自毛に良く固定することができるかつら用ストッパに関する。
【背景技術】
【０００２】
従来、人の頭部に装着する様々なかつらがある。一般に、かつらは、装飾のため又は薄くなった頭髪を外見上増量して従前の状態に保つために用いられる。装飾のために用いられるかつらは頭部全体に被って、かつらの人工毛（人造または自然の毛髪を加工したもの）で自毛（本人の頭部に成育している自然の頭髪）全体を覆い隠すように用いるが、頭髪の増量のために用いられるかつらは、人工毛と自毛を渾然一体化させて自毛が増えたかの如くに見えるように形成されるものが多い。
【０００３】
上記装飾用、増毛用いずれの場合も、かつらを使用する場合はかつらを頭部に固定する必要がある。装飾のためのかつらの場合は自毛が十分あるので、ストッパ（又はストッパー）と呼ばれる止め具を用いてかつらを頭部に固定することができる。また頭髪の増量のためのかつらの場合であっても頭頂部を除いて周囲に十分自毛があるような場合は、上記同様にストッパを用いてかつらを頭部に固定することができる。（例えば、特許文献１参照。）
図３(a) は、従来かつらに使用されてきたストッパを示す図であり、同図(b) は、そのストッパを用いたかつらを裏側から見た図である。
【０００４】
同図(a) に示す従来のストッパ１は、鋼鉄製のバネ板部材から成り複数のピン２と一体に櫛状に形成される本体部３と、ピン２の先端が離接するピン当接部４と、上記本体部３の両端部を相互に引き寄せる方向に狭めてピン当接部４と連結させているハトメ５とから成っている。本体部３の両端部が相互に引き寄せる方向に狭められてピン当接部４と連結されているので、本体部３は図面奥行き方向手前又は向う側のいずれかに反り返る付勢力を有している。
【０００５】
他方、同図(b) に示すかつら６は、縁部７間に張り巡らされた線状態体８によって形成されたネット部９と、線状態体８に植設された人工毛１１と、上記の縁部７に取り付けられた複数のストッパ１を備えている。
【０００６】
かつら６を手にとって、本体部３を人手によって同図(a) の図面奥行き方向手前側に凸状に反らせると、ピン２の先端がピン当接部４から離れて、ピン当接部４との間に間隙を形成する。この間隙に自毛を挟み込み、上記とは反対方向に本体部３を反らすと、ピン２の先端がピン当接部４に当接して、自毛を咥え込み、自毛にストッパ１が固定される。すなわち同図(b) に示すかつら６が、ストッパ１によって頭部に固定される。
【特許文献１】特開平１０−０７７５１４号公報（［要約、図１、図２）
【発明の開示】
【発明が解決しようとする課題】
【０００７】
ところで、上記のストッパ１において、ピン２は、本体部３からピン当接部４方向に何の変哲もなく真っ直ぐに延び出すように形成されている。このため、上記のように本体部３を図３(a) の図面奥行き方向手前側に凸状に反らせてピン２の先端とピン当接部４との間に間隙を形成し、この間隙に自毛を咥え込むために自毛の中にピン２の先端を挿し入れたとき、ピン２の先端が頭部の地肌に突き刺さるように当たって感触的に快適さを損ねる、また場合によっては頭皮を損傷するという不具合が発生する。
【０００８】
また、同様にピン２が本体部３からピン当接部４方向に何の変哲もなく真っ直ぐに延び出すように形成されていることから、折角咥え込んだ自毛がストッパ１から逃げ易く、このため、衝撃でかつらが頭部から脱落し易いという問題も有していた。
【０００９】
本発明の課題は、上記従来の実情に鑑み、頭部への固定操作時に感触的な不快感を与えることなく且つ固定後にはかつらが容易には頭部から脱落しないように安定した固定状態を維持できるかつら用ストッパを提供することである。
【課題を解決するための手段】
【００１０】
以下に、本発明に係わるかつら用ストッパの構成を述べる。
本発明のかつら用ストッパは、バネ板状部材からなり、ピンと一体にほぼ櫛状に形成された本体部と、該本体部を凸又は凹状に反り返らせるべく上記本体部の両端部に連結され上記ピンと離接可能に配設されたピン当接部と、を有するかつら用ストッパであって、上記ピンは、その先端が、かつら装着時において頭皮から離れる方向に曲がって形成されているように構成される。
【００１１】
また、上記ピンは、例えば上記本体部との付け根から先端部までの間に、他のピンとの並設方向の側部に少なくとも１つ以上の凸状部が形成されているように構成される。
【発明の効果】
【００１２】
本発明によれば、かつら用ストッパのピンの先端が、かつら装着時において頭皮から離れる方向に曲がって形成されているので、かつらを頭部への固定操作時にピンの先端が頭部の地肌に突き刺さるように当たることが皆無であり、したがって、頭部への固定操作時に感触的な不快感を与えることがなく、常に快適にかつらを使用することができて便利である。
【００１３】
また、本発明のかつら用ストッパのピンは、例えば本体部との付け根から先端部までの間に他のピンとの並設方向に少なくとも１つ以上の凸状部が形成されているので、かつら用ストッパで咥え込んだ自毛が容易に逃げ出すことがなく、常に頭部への安定した固定状態を維持することができて便利である。
【発明を実施するための最良の形態】
【００１４】
以下、本発明の実施の形態を図面を参照しながら説明する。
【実施例１】
【００１５】
図１は、一実施の形態におけるかつら用ストッパと、そのかつら用ストッパを複数取り付けたかつらの縁を示す図である。尚、同図には人工毛や、その人工毛を植設する編地又は線状部材等の図示を省略しているが概念的にかつらを示したものである。また、同図に示すかつらの縁１２は、図３(b) に示したかつら６の縁７と形状はやや異なるが、ほぼ同様の機能を有するものである。
【００１６】
図１に示すように、本例では、かつらの縁１２には、本発明になるかつら用ストッパ１３が適宜の間隔で４個取り付けられている。
図２(a) は、上記かつら用ストッパ１３の平面図であり、同図(b) はその側面図、同図(c) は、同図(a) を矢印ａ方向から見た図である。尚、同図(a),(b),(c) は、いずれも同一の状態のときのかつら用ストッパ１３を異なる方角から見ているものである。また、同図(c) は、下面が頭部に当接する面である。
【００１７】
同図(a),(b),(c) に示すかつら用ストッパ１３は、バネ板状部材からなり、ピン１４と一体にほぼ櫛状に形成された本体部１５と、この本体部１５を凸又は凹状に反り返らせるべく本体部１５の両端部にハトメ１６により固定・連結されたピン当接部１７を備えている。また、ピン当接部１７のピン１４と相対的に離接する部分には、樹脂製の熱収縮チューブ１８によって被覆が施されている。
【００１８】
同図(c) に示すように本体部１５及びピン当接部１７が上に凹状となったとき、ピン１４とピン当接部１７とが相対的に離れ、このとき、自毛内にピン１４を挿通することが出来るようになる。
【００１９】
そして、同図(c) の両方向矢印ｂで示すように、本体部１５及びピン当接部１７を上に凸状に反転させると、ピン１４とピン当接部１７とが相対的に圧接する。
上記のピン１４は、同図(c) に示すように、その先端部１４−１が、かつら装着時において頭皮から離れる方向に曲がって形成されている（同図(b) も参照）。
【００２０】
これにより、このかつら用ストッパ１３を備えたかつら（図１参照）を頭部へ固定する操作時に、ピン１４の先端（先端部１４−１の先端）が頭部の地肌に突き刺さるように当たることが皆無であり、したがって、頭部への固定操作時に感触的な不快感を与えることがなく、常に快適にかつらを使用することがでる。
【００２１】
また、更に、ピン１４には、本体部１５との付け根から先端部までの間に、他のピン１４との並設方向（図２(a) において左右方向）の側部に、少なくとも１つ以上の凸状部１４−２が形成されている。
【００２２】
これにより、各ピン１４の他のピン１４との並設方向の側部には少なくとも１つ以上の凹凸が形成され、この凹凸形状のピン１４の側部により、かつら用ストッパ１３で咥え込んだ自毛がかつら用ストッパ１３から容易に逃げ出すことがない。したがって、かつらの頭部への常に安定した固定状態を維持することができる。
【００２３】
図３は、本実施の形態におけるかつら用ストッパの寸法比の一例を示す図である。同図に示すように、かつら用ストッパの長手方向の寸法をａ、短手方向の一方の端部寸法をｂ、他方の端部寸法をｃ、としたとき、本例では、ａ：ｂ：ｃ＝３８：１３：１２の寸法比となるように、かつら用ストッパは作製されている。
【図面の簡単な説明】
【００２４】
【図１】一実施の形態におけるかつら用ストッパとそのかつら用ストッパを複数取り付けたかつらの縁を示す図である。
【図２】(a) は一実施の形態におけるかつら用ストッパの平面図、(b) はその側面図、(c) は(a) を矢印ａ方向から見た図である。
【図３】一実施の形態におけるかつら用ストッパの寸法比の一例を示す図である。
【図４】(a) はかつらに使用されてきた従来のストッパを示す図、(b) はそのストッパを用いたかつらを裏側から見た図である。
【符号の説明】
【００２５】
１      ストッパ
２      ピン
３      本体部
４      ピン当接部
５      ハトメ
６      かつら
７      縁部
８      線状態体
９      ネット部
１１    人工毛
１２    かつらの縁
１３    かつら用ストッパ
１４    ピン
１４−１  先端部
１４−２  凸状部
１５    本体部
１６    ハトメ
１７    ピン当接部
１８    熱収縮チューブ
【図１】
2006037278.tif 000003
【図２】
2006037278.tif 000004
【図３】
2006037278.tif 000005
【図４】
2006037278.tif 000006